(57)【要約】      （修正有）【課題】ファスナーを開状態とした場合に、口を開けたように、特に開口部の中央部分が広がって、開口部を大きく開くことができるペンケースを提供する。【解決手段】上面部１と、底面部と、上面部１と底面部を接続する背面部と、上面部１、背面部、底面部に接続すると共にファスナーが設けられた側面部と、内側に接するように設けられる可逆性のあるプレート部７と、側面部の端部で開状態を制限するマチ部６とを備え、背面部に対向する側面部の上面部１と底面部との間の長さを、背面部における上面部１と底面部との間の長さより短くしたペンケースである。【選択図】図１
0003195636.tif 000002
【実用新案登録請求の範囲】
【請求項１】
上面部と、底面部と、前記上面部と前記底面部を接続する背面部と、前記上面部、前記底面部及び前記背面部に接続すると共にファスナーを有する側面部とを備えたペンケースであって、
前記上面部、前記背面部及び前記底面部の内面に接するように設けられた、変形に対して復元性のあるプレート部と、
前記ファスナーを開状態とした場合に、前記側面部の端部で開状態を制限するマチ部とを有し、
前記背面部に対向する前記側面部における前記上面部と前記底面部との間の幅を、前記背面部における前記上面部と前記底面部との間の幅より短くしたことを特徴とするペンケース。
【請求項２】
底面部と背面部とを接続する部分の曲率半径を、上面部と背面部とを接続する曲率半径より小さくしたことを特徴とする請求項１記載のペンケース。
【請求項３】
側面部において、ファスナーから上面部までの幅に対して前記ファスナーから底面部までの幅を大きくしたことを特徴とする請求項１又は２記載のペンケース。
【請求項４】
ファスナーは、背面部に接続する側面部の一方の端部から他方の端部まで形成され、
前記ファスナーの端部には、上面部と底面部を接続するマチ部が内側に設けられていることを特徴とする請求項１乃至３のいずれか記載のペンケース。
【請求項５】
プレート部は、ポリプロピレンの樹脂の板で形成され、着脱可能としたことを特徴とする請求項１乃至４のいずれか記載のペンケース。
【考案の詳細な説明】
【技術分野】
【０００１】
本考案は、ペンケースに係り、特に、ファスナーを開状態とした場合に、大きく開口できるペンケースに関する。
【背景技術】
【０００２】
［従来の技術］
従来のペンケースには、ファスナーを開状態とした場合に、開口部が開く構成のものがあった。
【０００３】
［関連技術］
尚、関連する先行技術として、特許第２９１５４０１号「マチ部材を有するペンケースの製造方法」（ツクワ工業株式会社）［特許文献１］、実用新案登録第３０７２８６８号「ペンケース等のケース」（株式会社ユニオン）［特許文献２］、実用新案登録第３１５３１５３号「小型かばん」（株式会社スリーランナー）［特許文献３］がある。
【０００４】
特許文献１には、マチ部材を有するポーチの製造方法が示されている。
特許文献２には、ペン立てのように使用するペンケースが示されている。
特許文献３には、芯材にプラスチックを用い、マチで開口角度を制限するポーチが示されている。
【先行技術文献】
【特許文献】
【０００５】
【特許文献１】特許第２９１５４０１号公報
【特許文献２】実用新案登録第３０７２８６８号公報
【特許文献３】実用新案登録第３１５３１５３号公報
【考案の概要】
【考案が解決しようとする課題】
【０００６】
しかしながら、上記従来のペンケースでは、開口部に対向する背面部が下側となって開口部が上側に開くものであり、一方の側面部が下側となって開口部が利用者に向かって大きく開く構成ではなく、ペンの出し入れをし易くするものとはなっていないという問題点があった。
【０００７】
尚、特許文献１〜３では、開口部の中央が大きく開いて使用し易くするものとはなっていない。
特に、特許文献３では、背面が平面形状であり、その背面が下側となって開口部が上側となって使用するもので、ファスナーを開くと芯材により開口部が若干開くものとなっているが、ファスナーが反り返って更に中央部分が大きく開くものではなく、ペンケースからペン等を取り出し易い構成ではない。
【０００８】
本考案は上記実情に鑑みて為されたもので、ファスナーを開状態とした場合に、人が口を大きく開けたように、特に開口部の中央部分が広がって、開口部を大きく開くことができるペンケースを提供することを目的とする。
【課題を解決するための手段】
【０００９】
上記従来例の問題点を解決するための本考案は、上面部と、底面部と、上面部と底面部を接続する背面部と、上面部、底面部及び背面部に接続すると共にファスナーを有する側面部とを備えたペンケースであって、上面部、背面部及び底面部の内面に接するように設けられた、変形に対して復元性のあるプレート部と、ファスナーを開状態とした場合に、側面部の端部で開状態を制限するマチ部とを有し、背面部に対向する側面部における上面部と底面部との間の幅を、背面部における上面部と底面部との間の幅より短くしたことを特徴とする。
【００１０】
本考案は、上記ペンケースにおいて、底面部と背面部とを接続する部分の曲率半径を、上面部と背面部とを接続する曲率半径より小さくしたことを特徴とする。
【００１１】
本考案は、上記ペンケースにおいて、側面部において、ファスナーから上面部までの幅に対してファスナーから底面部までの幅を大きくしたことを特徴とする。
【００１２】
本考案は、上記ペンケースにおいて、ファスナーが、背面部に接続する側面部の一方の端部から他方の端部まで形成され、ファスナーの端部には、上面部と底面部を接続するマチ部が内側に設けられていることを特徴とする。
【００１３】
本考案は、上記ペンケースにおいて、プレート部が、ポリプロピレンの樹脂の板で形成され、着脱可能としたことを特徴とする。
【考案の効果】
【００１４】
本考案は、上面部と、底面部と、上面部と底面部を接続する背面部と、上面部、底面部及び背面部に接続すると共にファスナーを有する側面部と、上面部、背面部及び底面部の内面に接するように設けられた、変形に対して復元性のあるプレート部と、ファスナーを開状態とした場合に、側面部の端部で開状態を制限するマチ部とを有し、背面部に対向する側面部における上面部と底面部との間の幅を、背面部における上面部と底面部との間の幅より短くしたペンケースとしているので、ファスナーを開状態とした場合に、開口部を大きく開くことができ、使い勝手を向上させることができる効果がある。
【００１５】
本考案は、底面部と背面部とを接続する部分の曲率半径を、上面部と背面部とを接続する曲率半径より小さくした上記ペンケースとしているので、底面部を下にしてファスナーを開状態とした場合に、背面部に転がることがなく、安定して使用できる効果がある。
【００１６】
本考案は、側面部において、ファスナーから上面部までの幅に対してファスナーから底面部までの幅を大きくした上記ペンケースとしているので、筆記具等が底面部の内側に多く収納できる効果がある。
【図面の簡単な説明】
【００１７】
【図１】本ペンケースの概略図である。
【図２】プレート部の概略図である。
【図３】本ペンケースの正面説明図である。
【図４】本ペンケースの上面説明図である。
【図５】本ペンケースの底面説明図である。
【図６】本ペンケースの左側面説明図である。
【図７】本ペンケースを開状態とした左側面説明図である。
【考案を実施するための形態】
【００１８】
本考案の実施の形態について図面を参照しながら説明する。
［実施の形態の概要］
本考案の実施の形態に係るペンケースは、上面部と、底面部と、上面部と底面部を接続する背面部と、上面部、底面部及び背面部に接続すると共にファスナーを有する側面部と、上面部、背面部及び底面部の内面に接するように設けられ、復元性のあるプレート部と、側面部の端部で開状態を制限するマチ部とを備え、背面部に対向する側面部の上面部と底面部との間の長さを、背面部の上面部と底面部との間の長さより短くしたものであり、ファスナーを開状態とした場合に、開口部が利用者側を向いて、開口部が大きく開くことができるものである。
【００１９】
また、本考案の実施の形態に係るペンケースは、底面部と背面部とを接続する部分の曲率半径を、上面部と背面部とを接続する曲率半径より小さくしたものであり、底面部を下にしてファスナーを開状態とした場合に、背面部に転がることがなく、安定して使用できるものである。
【００２０】
［本ペンケース：図１〜７］
本考案の実施の形態に係るペンケース（本ペンケース）について図１〜７を参照しながら説明する。図１は、本ペンケースの概略図であり、図２は、プレート部の概略図であり、図３は、本ペンケースの正面説明図であり、図４は、本ペンケースの上面説明図であり、図５は、本ペンケースの底面説明図であり、図６は、本ペンケースの左側面説明図であり、図７は、本ペンケースを開状態とした左側面説明図である。
本ペンケースは、図１〜７に示すように、上面部１と、底面部２と、背面部３と、側面部４と、ファスナー５とを基本的に有している。
本ペンケースは、図３の正面方向から見て、垂直方向の高さが５５ｍｍ程度、水平方向の長さが２００ｍｍ程度、奥行きが７５ｍｍ程度となっている。
尚、ファスナー５を開状態にすると、本ペンケースが開き、図７に示すように、開いたファスナー５と側面部４が開口部となる。
【００２１】
［本ペンケースの各部］
次に、本ペンケースにおける各部を説明する。
［上面部１、底面部２、背面部３］
上面部１と背面部３と底面部２とは一体に形成され、上面部１と底面部２とは同様の形状で、対向するよう設けられている。上面部１、背面部３及び底面部２は、厚さ２．５ｍｍ程度で、天然繊維又は合成繊維で形成されている。また、上面部１、背面部３、底面部２の内側には裏地が設けられている。
尚、上面部１と底面部２は、背面部３に接続しない側の角部が丸みを持った形状となるようにしている。
【００２２】
［背面部３］
背面部３は、図６に示すように、側面から見た形状が略コの字形となっている。
特に、背面部３は、上面部１と接続する部分がなだらかに湾曲しており、底面部２と接続する部分が略直角に湾曲している。具体的には、上面部１と背面部３が接続する部分は、曲率半径Ｒ２８ｍｍであり、底面部２と背面部３が接続する部分は、曲率半径Ｒ１０ｍｍである。
【００２３】
このように、底面部２と背面部３との接続部分の曲率半径を小さくしているのは、開口状態となった場合に、底面部２が机等に接して安定し、背面部３側に倒れないようにするためである。また、上面部１と背面部３との接続部分の曲率半径を大きくしているのは、図７のように開口状態となった場合に、背面部３をスムーズに開くためである。
【００２４】
［側面部４］
側面部４は、上面部１及び底面部２を背面部３で内側に折り曲げた状態で、上面部１の外周、底面部２の外周、背面部３の両側端部に接続するように形成されている。具体的には、側面部４が上面部１、底面部２、背面部３の端部で縫い込まれている。
【００２５】
［ファスナー５］
ファスナー５は、図３、図６に示すように、幅８ｍｍ程度で、スライドファスナー（線ファスナー）であり、背面部３に接続する側面部４の一方の端部から他方の端部まで設けられている。ファスナー５には、引き手５ａが取り付けられており、引き手５ａをスライドさせることで開閉を行う。
そして、ファスナー５の位置は、側面部４の中央より上面部１側に取り付けられている。つまり、ファスナー５から上面部１までの側面部４ａの距離が短く（浅く）、ファスナー５から底面部２までの側面部４ｂの距離が長く（深く）なるように構成している。具体的には、側面部４ａより側面部４ｂを全体的に約１２ｍｍ程度長くしている。
【００２６】
［側面部４の幅Ｘ，Ｙ］
また、図６に示すように、側面部４における背面部３とは反対側（正面側：図６の右側）、つまり、背面部３に対向する側の側面部４の幅（長さ）Ｘは、背面部３側（図６の左側）の幅（長さ）Ｙより短くしている。即ち、上面部１と底面部２との間の長さＸが、上面部１と底面部２との間の長さＹより短い構成である。例えば、幅Ｘを約４０ｍｍとすると、幅Ｙは約５０ｍｍとしている。
このように、幅Ｘを短く、幅Ｙを長くしているのは、ファスナー５を開いたときに、抑えられていたプレート部７の反発力で上面部１と底面部２が外側に反るようになって、開口部が大きく開き、特に開口部の中央部分が大きく開くようにするためである。
【００２７】
［本ペンケースの内部構造］
本ペンケースの内部構造について図１，２，７を参照しながら説明する。
図１，２，７に示すように、ファスナー５が開状態で、ファスナー５が背面部３に接続する部分には、開放状態を制限するためのマチ部６が形成されている。
マチ部６は、背面部３、背面部３寄りの上面部１の一部、背面部３寄りの底面部２の一部の端部に接続し、半円形状となっている。マチ部６は、ファスナー５が閉状態では、内側に畳み込まれ、開状態になると、側面部４ａと側面部４ｂが大きく離れてしまうのを防止している。
【００２８】
また、本ペンケースの内側には、図２に示すような、復元性のある素材のプレート部７が取り付けられており、ファスナー５を開状態とすると、プレート部７の反発力（復元力）で底面部２と上面部１が背面部３を中心に自動的に開く構造となっている。
プレート部７は、例えば、ポリプロピレン（ＰＰ）の樹脂の薄い板（ＰＰパーツ）を用いており、変形に対して弾性によって元に戻る復元性を有している。
また、プレート部７は、取り外し可能であり、長く使用していると、折り曲がりくせがついてしまうので、取り外したプレート部７を平らに延ばすようにすれば、復元力を取り戻すことができるものである。
【００２９】
そして、側面部４の幅Ｘと幅Ｙに差があることから、開状態になった場合に、上面部１と底面部２が反り返るように開口部が大きく開くようになっている。つまり、側面部４における開口部先端（図６の右側端部）のファスナー５が、図７に示すように、大きく開くものである。
特に、図１に示すように、ファスナー５の中央部分が大きく開き、口を大きく開いたような形状でファスナー５が開口するものである。
【００３０】
また、底面部２と背面部３との接続部分の曲率半径を小さくすることで、ファスナー５を開状態にしても、背面部３側に転がることがなく、安定して使用することができる。
【００３１】
［実施の形態の効果］
本ペンケースによれば、側面部４の開口部先端側の幅を背面部３の幅より小さくしているので、ファスナー５を開状態とした場合に、抑えられたプレート部７の反発力で開口部の中央部分が大きく開くので、ペン等の出し入れが容易になるという効果がある。
【００３２】
また、本ペンケースは、底面部２と背面部３との接続部分の曲率半径を、上面部１と背面部３との接続部分の曲率半径に比べて小さくしているので、ファスナー５が開状態となった場合に、背面部３側に転がることがなく、開口部が利用者側を向いて、安定して使用できる効果がある。
【００３３】
また、本ペンケースは、側面部４においてファスナー５の位置を上面部１側とし、ファスナー５より上側の側面部４ａの幅より下側の側面部４ｂの幅を長くしているので、底面部２側で安定させることができる効果がある。
【産業上の利用可能性】
【００３４】
本考案は、ファスナーを開状態とした場合に、口を開けたように、特に開口部の中央部分が広がって、開口部を大きく開くことができるペンケースに好適である。
【符号の説明】
【００３５】
１...上面部、  ２...底面部、  ３...背面部、  ４...側面部、  ４ａ...上側の側面部、  ４ｂ...下側の側面部、  ５...ファスナー、  ６...マチ部、  ７...プレート部
【図１】
0003195636.tif 000003
【図２】
0003195636.tif 000004
【図３】
0003195636.tif 000005
【図４】
0003195636.tif 000006
【図５】
0003195636.tif 000007
【図６】
0003195636.tif 000008
【図７】
0003195636.tif 000009